(57)【特許請求の範囲】
【請求項１】
次式（Ｉ）
ＣｕＣｌＯ4・４ＣＨ3ＣＮ                        （Ｉ）
で表される化合物と、次式（II）
【化１】
0003738225.tif 000020
（ただし、Ｒ1は、置換基を有していてもよい芳香族基である）
で表される(S)-xylyl-Bis[bis(R1)phosphino]-1,1'-binaphthylを混合して得られることを特徴とする新規キラル銅触媒。
【請求項２】
Ｒ1は、３，５−ジメチルフェニル基である請求項１の新規キラル銅触媒。
【請求項３】
エナンチオ選択的にＮ−アシル化アミノ酸誘導体を製造する方法であって、次式（III）
【化２】
0003738225.tif 000021
（ただし、Ｒ2は置換基を有していてもよい芳香族基、Ｒ3は置換基を有していてもよい炭化水素基である）
で表されるＮ−アシルイミノエステルと、次式（IV）
【化３】
0003738225.tif 000022
（ただし、Ｒ4は置換基を有していてもよい芳香族炭化水素基、Ｒ5はトリアルキルシリル基、Ｒ6は水素原子または置換基を有していてもよい炭化水素基である）
で表されるシリルエノールエーテルを、次式（Ｉ）
ＣｕＣｌＯ4・４ＣＨ3ＣＮ                        （Ｉ）
で表される化合物と、次式（II）
【化４】
0003738225.tif 000023
（ただし、Ｒ1は、置換基を有していてもよい芳香族基である）
で表される(S)-xylyl-Bis[bis(R1)phosphino]-1,1'-binaphthylを混合して得られるキラル銅触媒の存在下に反応させることを特徴とするＮ−アシル化アミノ酸誘導体の製造方法。
【請求項４】
エナンチオ選択的にＮ−アシル化アミノ酸誘導体を製造する方法であって、次式（III）
【化５】
0003738225.tif 000024
（ただし、Ｒ2は置換基を有していてもよい芳香族基、Ｒ3は置換基を有していてもよい炭化水素基である）
で表されるＮ−アシルイミノエステルと、次式（IV）
【化６】
0003738225.tif 000025
（ただし、Ｒ4は置換基を有していてもよい芳香族炭化水素基、Ｒ5はアルキル基、Ｒ6は水素原子または置換基を有していてもよい炭化水素基である）
で表されるアルキルビニルエノールエーテルを、次式（Ｉ）
ＣｕＣｌＯ4・４ＣＨ3ＣＮ                        （Ｉ）
で表される化合物と、次式（II）
【化７】
0003738225.tif 000026
（ただし、Ｒ1は、置換基を有していてもよい芳香族基である）
で表される(S)-xylyl-Bis[bis(R1)phosphino]-1,1'-binaphthylを混合して得られるキラル銅触媒の存在下に反応させた後、酸処理することを特徴とするＮ−アシル化アミノ酸誘導体の製造方法。
【請求項５】
キラル銅触媒において、Ｒ1は、３，５−ジメチルフェニル基である請求項３または４のいずれかのＮ−アシル化アミノ酸誘導体の製造方法。
【発明の詳細な説明】
【０００１】
【発明の属する技術分野】
この出願の発明は、新しい銅触媒とそれを用いたＮ−アシル化アミノ酸誘導体の製造方法に関するものである。さらに詳しくは、この出願の発明は新規キラル銅錯体と、それを用いてエナンチオ選択性高くＮ−アシル化アミノ酸誘導体を製造する不斉Mannich型反応に関するものである。
【０００２】
【従来技術とその課題】
自然界には、多くの重要なＮ−アセチルアミノ酸誘導体が存在する。例えば、カルシウム拮抗性を有する蘭藻類Scytonema sp.(strain U-3-3)の主な代謝生成物であるScytonemin A（Helms, G.L; Moore, R.E., Niemczura, W.P., Patterson, G.M.L., Tomer, K.B., Gross, M.L. J.Org.Chem. 1998, 53, 1298）、Theonella属の海生海綿体由来の抗菌性ペプチドであるTheonellamide F（Matusnaga, S., Fusetani, N., Hashimoto, K., Walchli, M. J.Am.Chem.Soc. 1989, 111, 2582）、スフィンゴ脂質（Dickson, R.C. Annu. Rev. Biochem. 1998, 67, 27）を始めとする多くのものが単離、報告されている（Humphrey, .M., Chamberlin, A.R. Chem. Rev. 1997, 97, 2243; von Dohren, H., Keller, U., Vater, J., Zocher, R. Chem. Rev. 1997, 97, 2675; Koltr, T., Sandhoff, K. Angew.Chem.,
Int. Ed. 1999, 38, 1532など）。
【０００３】
これらの天然物質やその類似体には、高い生理活性が期待される。したがって、このような化合物を立体選択性高く合成することができれば、天然物質の作用機構の解明や新しい医薬品の開発に重要な知見が得られると考えられる。
【０００４】
天然化合物やその類似化合物を化学合成によって生産する方法としては、α−イミノエステルとエノラートの立体選択的Mannich型反応（Kobayashi, S., Ishitani, H. Chem. Rev. 1999, 99, 1069）が効率的である。発明者らは、最近、ジルコニウム触媒による立体選択的Mannich型反応方法を開発し、報告している（Ishitani, H., Ueno, M., Kobayashi, S. J.Am.Chem.SOc. 1997, 119, 7153; Kobayashi, S., Ishitani, H., Ueno, M. J.Am.Chem.Soc. 1998, 120, 431; Ishitani, H., Ueno, M., Kobayashi, S. J.Am.Chem.Soc. 2000, 122, 8180; Kobayashi, S., Ishitani, H., Yamashita, Y., Ueno, M., Shimizu, H. Tetrahedron 2001, 57, 861）。また、α−イミノエステルの不斉マンニッヒ反応に関しても多くの報告がなされている（例えば、Hagiwara, E., Fujii, A., Sodeoka, M. J.Am.Chem.Soc. 1998, 120, 2474; Ferraris, D., Young, B., Dudding, T., Lectka, T. J.Org.Chem. 1999, 64, 2168他）。
【０００５】
しかし、これら公知の反応方法では、生成物からＮ−保護基をはずし、さらにアシル化する必要があり、煩雑な操作を要した。
【０００６】
そこで、より効率的な反応方法として、Ｎ−アシルイミノエステルをエノラートと反応させてＮ−アシル化アミノ酸誘導体を直接得る方法が検討された。しかし、出発物質として用いられるＮ−アシルイミノエステルの多くは、不安定であり、有機合成への適用範囲が限定されていた。さらに、発明者らは、トリフルオロメタンスルホン酸銅と配位子から得られる新規キラル銅錯体を報告しているが、このような新規キラル銅錯体においても、末端にフェニル基等の芳香族基を有するＮ−アシルイミノエステルを出発物質とする場合には、不斉Mannich型反応による立体選択的なＮ−アシル化アミノ酸誘導体合成が実現されていなかったのが実情である。
【０００７】
したがって、この出願の発明は、以上のとおりの問題点を解決し、末端に芳香族環状置換基を有するＮ−アシルイミノエステルを出発物質とする、簡便で効率的な立体選択的Mannich型反応を可能とする触媒系を提供することを課題としている。
【０００８】
【課題を解決するための手段】
この出願の発明は、以上のとおりの課題を解決するものとして、まず、第１には、次式（Ｉ）
ＣｕＣｌＯ4・４ＣＨ3ＣＮ                        （Ｉ）
で表される化合物と、次式（II）
【０００９】
【化８】
0003738225.tif 000002
【００１０】
（ただし、Ｒ1は、置換基を有していてもよい芳香族基である）
で表される(S)-xylyl-Bis[bis(R1)phosphino]-1,1'-binaphthylを混合して得られることを特徴とする新規キラル銅触媒を提供する。
【００１１】
また、第２には、この出願の発明は、Ｒ1が３，５−ジメチルフェニル基である前記の新規キラル銅触媒を提供する。
【００１２】
この出願の発明は、第３には、エナンチオ選択的にＮ−アシル化アミノ酸誘導体を製造する方法であって、次式（III）
【００１３】
【化９】
0003738225.tif 000003
【００１４】
（ただし、Ｒ2は置換基を有していてもよい芳香族基、Ｒ3は置換基を有していてもよい炭化水素基である）
で表されるＮ−アシルイミノエステルと、次式（IV）
【００１５】
【化１０】
0003738225.tif 000004
【００１６】
（ただし、Ｒ4は置換基を有していてもよい芳香族炭化水素基、Ｒ5はトリアルキルシリル基、Ｒ6は水素原子または置換基を有していてもよい炭化水素基である）
で表されるシリルエノールエーテルを、次式（Ｉ）
ＣｕＣｌＯ4・４ＣＨ3ＣＮ                        （Ｉ）
で表される化合物と、次式（II）
【００１７】
【化１１】
0003738225.tif 000005
【００１８】
（ただし、Ｒ1は、置換基を有していてもよい芳香族基である）
で表される(S)-xylyl-Bis[bis(R1)phosphino]-1,1'-binaphthylを混合して得られるキラル銅触媒の存在下に反応させることを特徴とするＮ−アシル化アミノ酸誘導体の製造方法を提供する。
【００１９】
この出願の発明は、第４には、エナンチオ選択的にＮ−アシル化アミノ酸誘導体を製造する方法であって、次式（III）
【００２０】
【化１２】
0003738225.tif 000006
【００２１】
（ただし、Ｒ2は置換基を有していてもよい芳香族基、Ｒ3は置換基を有していてもよい炭化水素基である）
で表されるＮ−アシルイミノエステルと、次式（IV）
【００２２】
【化１３】
0003738225.tif 000007
【００２３】
（ただし、Ｒ4は置換基を有していてもよい芳香族炭化水素基、Ｒ5はアルキル基、Ｒ6は水素原子または置換基を有していてもよい炭化水素基である）
で表されるアルキルビニルエノールエーテルを、次式（Ｉ）
ＣｕＣｌＯ4・４ＣＨ3ＣＮ                        （Ｉ）
で表される化合物と、次式（II）
【００２４】
【化１４】
0003738225.tif 000008
【００２５】
（ただし、Ｒ1は、置換基を有していてもよい芳香族基である）
で表される(S)-xylyl-Bis[bis(R1)phosphino]-1,1'-binaphthylを混合して得られるキラル銅触媒の存在下に反応させた後、酸処理することを特徴とするＮ−アシル化アミノ酸誘導体の製造方法を提供する。
【００２６】
そして、この出願の発明は、第５には、キラル銅触媒において、Ｒ1が３，５−ジメチルフェニル基である前記いずれかのＮ−アシル化アミノ酸誘導体の製造方法をも提供する。
【００２７】
【発明の実施の形態】
この出願の発明では、次式（III）
【００２８】
【化１５】
0003738225.tif 000009
【００２９】
（ただし、Ｒ2は置換基を有していてもよい芳香族基、Ｒ3は置換基を有していてもよい炭化水素基である）
で表されるＮ−アシルイミノエステルと、次式（IV）
【００３０】
【化１６】
0003738225.tif 000010
【００３１】
（ただし、Ｒ4は置換基を有していてもよい芳香族炭化水素基、Ｒ5はトリアルキルシリル基、Ｒ6は水素原子または置換基を有していてもよい炭化水素基である）
で表されるシリルエノールエーテルを、新規キラル銅触媒の存在下に反応させることにより、エナンチオ選択的にＮ−アシル化アミノ酸誘導体を製造する。
【００３２】
また、シリルエノールエーテルの代わりに、前記（IV）におけるＲ5がアルキル基であるアルキルビニルエーテルを用いた場合には、Ｎ−アシルイミノエステルと前記のキラル銅触媒の存在下に反応させた後、酸処理させれば、エナンチオ選択性高くＮ−アシル化アミノ酸誘導体が製造される。
【００３３】
この新規キラル銅触媒は、次式（Ｉ）
ＣｕＣｌＯ4・４ＣＨ3ＣＮ                        （Ｉ）
で表される化合物と、次式（II）
【００３４】
【化１７】
0003738225.tif 000011
【００３５】
で表される(S)-xylyl-Bis[bis(R1)phosphino]-1,1'-binaphthyl（(S)-R1-BINAP）を、例えば溶液中で混合して得られるものであり、単離されたものを触媒として用いてもよいし、反応溶液中でin situで錯形成させたものであってもよい。
【００３６】
この出願の発明の新規キラル銅触媒において、式（Ｉ）で表される化合物
ＣｕＣｌＯ4・４ＣＨ3ＣＮ                        （Ｉ）
は、試薬として市販されているものがあれば、そのようなものを用いてもよいし、例えば、Kubas,G.J. Inorganic Synthesis; Shriver, D.F., Ed.; Plenum: New York, 1979; Vol. XIX, p90等に記載の公知の方法で合成したものを用いてもよい。また、(S)-R1-BINAPについては、市販されているものを用いてもよいし、種々の公知あるいは新規の方法により合成されたものを用いてもよい。
【００３７】
この出願の発明の新規キラル銅錯体では、Ｒ1としてキシリル基、とくに、ｍ−キシリル基を有するものが好ましい。すなわち、前記の（Ｉ）の化合物と、次式
【００３８】
【化１８】
0003738225.tif 000012
【００３９】
で表される(S)-xylyl-Bis[bis(3,5-dimethylphenyl)phosphino]-1,1'-binaphthyl（(S)-xylyl-BINAP）を混合して得られる新規キラル銅錯体では、不斉Mannich反応によって得られるＮ−アシル化アミノ酸誘導体において、高い収率や立体選択性が得られるのである。このことは、後述の実施例からも明らかである。
【００４０】
(S)-xylyl-BINAPは、（株）高砂ケミカル等によって市販されているものを用いてもよいし、Mashima, K., Kusano, K., Sato, N., Matsumura, Y., Nozaki, K., Kumobayashi, H., Sayo, N., Hori, Y., Ishizaki, T., Akutagawa, S., Takaya, H. J.Org.Chem. 1994, 59, 3064等に記載の公知の方法によって合成したものを用いてもよい。
【００４１】
これら（Ｉ）および（II）をいずれも溶解できる溶媒（例えば、クロロホルム、ジクロロメタン、トルエン等）に溶解し、混合すればこの出願の発明の新規キラル銅触媒が得られる。
【００４２】
この出願の発明のＮ−アシル化アミノ酸誘導体の製造方法において、次式（III）
【００４３】
【化１９】
0003738225.tif 000013
【００４４】
のＮ−アシルイミノエステル中のＲ2は、置換基を有していてもよい芳香族基、Ｒ3は置換基を有していてもよい炭化水素基である。Ｒ2としては、フェニル、１−ナフチル、２−ナフチル、３，５−ジメチルフェニル、４−クロロフェニル等が例示される。一方、Ｒ3としては、不斉Mannich反応を阻害しないものであればよく、メチル、エチル、ｎ−プロピル、ｉ−プロピル、ｎ−ブチル、ｉ−ブチル、ｔ−ブチル等のアルキル基、中でもメチルやエチル等の短鎖アルキル基とすることが好ましい。これらの置換基は、不斉Mannich型反応の生成物であるＮ−アシル化アミノ酸誘導体に反映されることから、目的とするＮ−アシル化アミノ酸誘導体に応じて適宜選択すればよい。中でも反応の障害にならないメチルやエチル等の短鎖アルキル基とすることができる。
【００４５】
この出願の発明のＮ−アシル化アミノ酸誘導体の製造方法は、前記のＮ−アシルイミノエステルは、次式（IV）
【００４６】
【化２０】
0003738225.tif 000014
【００４７】
の化合物と反応される。このとき、（IV）において、Ｒ4は置換基を有していてもよい芳香族炭化水素基であり、具体的には、フェニル、１−ナフチル、２−ナフチル、４−メチルフェニル、３，５−ジメチルフェニル、４−クロロフェニル等が例示される。また、Ｒ7は水素原子であってもよいし、メチル、エチル、ｎ−プロピル、ｉ−プロピル、ｎ−ブチル、ｉ−ブチル、ｔ−ブチル等のアルキル基、シクロヘキシル基、フェニル基等の炭化水素基や、これらにハロゲン、Ｓ、Ｎ、Ｏ等のヘテロ原子や置換基が結合した基から選択される。一方、Ｒ5については、トリメチルシリル基、トリエチルシリル基等のトリアルキルシリル基とすることもできるし、メチル、エチル、ｎ−プロピル、ｉ−プロピル、ｎ−ブチル、ｉ−ブチル、ｔ−ブチル等のアルキル基としてもよい。Ｒ5がトリアルキルシリルエーテルの場合には、（IV）はシリルエノールエーテルとなり、アルキル基の場合には、（IV）はアルキルビニルエーテルとなる。（IV）では、とくに、Ｒ4は不斉Mannich反応後に生成物のＮ−アシル化アミノ酸誘導体中に残留することから、目的とするＮ−アシル化アミノ酸誘導体に応じてＲ4を適宜選択すればよい。
【００４８】
この出願の発明のＮ−アシル化アミノ酸誘導体の製造方法において、反応物であるＮ−アシルイミノエステルとシリルエノールエーテル（またはアルキルビニルエーテル）は、試薬として市販されているものや公知の有機合成方法により合成、単離されるものを用いてもよいし、化合物の単離が難しいものや不安定なものについては、Mannich型反応に際してin situで合成して用いてもよい。
【００４９】
さらに、この出願の発明のＮ−アシル化アミノ酸誘導体の製造方法において、Mannich型反応は、前記の新規キラル銅触媒の存在下で行われるものであればよく、その反応条件はとくに限定されない。例えば、反応は、各種の有機溶媒中で行われることが好ましい。溶媒は、出発物質であるＮ−アシルイミノエステルやシリルエノールエーテル（またはアルキルビニルエーテル）、そして触媒を溶解できるものであればよく、反応温度において固化あるいは分解しないものであればよく、とくに限定されない。例えば、クロロホルムやジクロロメタン等の含ハロゲン溶媒等が例示される。反応温度は、各反応物質が安定で触媒がとくに効率的に作用する温度範囲であればよく、好ましくは室温以下の低温、より好ましくは、−１００℃〜室温程度とする。さらに、具体的な反応操作については、一般的な化学反応において実施される攪拌、分離、精製等の操作が適用できる。
【００５０】
以下、実施例を示してこの出願の発明についてさらに詳細に説明する。もちろん、この出願の発明は、以下の実施例に限定されるものではないことはいうまでもない。
【００５１】
【実施例】
以下の実施例において、融点は補正せずに表示した。
【００５２】
また、1Ｈおよび13ＣＮＭＲスペクトルは、特記しない限り、ＣＤＣｌ3中でJEOL JNM-LA300、JNM-LA400、またはJNM-LA500スペクトロメーターにより測定した。1Ｈでは、テトラメチルシラン（TMS）を内部標準として用いた（δ＝0）。また、13Ｃでは、ＣＤＣｌ3を内部標準として用いた（δ＝77.0）。
【００５３】
ＩＲスペクトルは、JASCO FT/IR-610スペクトロメーターを用いて測定した。
【００５４】
円旋光性は、JASCO P-1010旋光計により測定した。
【００５５】
高速液体クロマトグラフィーは、SHIMADZU LC-10AT（液体クロマトグラフ）、SHIMADZU SPD-10A（紫外線検知機）、およびSHIMADZU C-R6Aクロマトパックを用いて行った。
【００５６】
ガスクロマトグラフィーおよびマススペクトルはSHIMADZU GC-17AおよびSHIMADZU GCMS-QP5050Aを用いて測定した。
【００５７】
カラムクロマトグラフィーは、Silica gel 60 (Merck社)で、また薄層クロマトグラフィーは、Wakogel B-5F（和光純薬）を用いて行った。
【００５８】
いずれの反応もアルゴン下、乾燥させたガラス機器を用いて行った。
【００５９】
Ｎ−アシルイミノエステル2は高分子固定化アミン（Kobayashi, S., Kitagawa, H., Matsubara, R. J.Comb.Chem. 2001, 3, 401）を用いて対応するα−ブロモグリシン誘導体（Ueno, M. Kitagawa, H.Ishitani, H., Yasuda, S., Nishijima, K., Hanada, K., Kobayashi, S. Tetrahedron Lett. 2001, 42, 7863）より調製した。
＜実施例１＞  新規キラル銅触媒を用いた不斉Mannich型反応
次式（Ａ）に従って、Ｎ−アシル化アミノ酸誘導体を新規キラル銅触媒を用いた不斉Mannich型反応により製造した。
【００６０】
【化２１】
0003738225.tif 000015
【００６１】
CuClO4・4CH3CN（3.2 mg, 0.010 mmol）を真空下室温で１時間乾燥した。これに、(S)-xylyl-BINAP（8.1 mg, 0.011 mmol）（（株）高砂ケミカル）のジクロロメタン（1.0 mL）溶液をアルゴン下で加え、得られた淡黄色溶液を０．５時間攪拌した。
【００６２】
溶液を−７８℃まで冷却した後、Ｎ−ベンゾイル−α−イミノエステル（化合物２）（0.1 mmol）のジクロロメタン（1.0 mL）溶液を加えた。
【００６３】
次に、シリルエノールエーテルまたはビニルエノールエーテル（0.15 mmol）のジクロロメタン溶液（1.0 mL）を１０分間かけて添加し、−７８℃で１８時間攪拌しながら反応させた。
【００６４】
反応溶液にＴＨＦ−水を添加し、反応を停止させ、２分間攪拌後、室温まで加温された。飽和NH4Cl水溶液を溶液中に加え、ジクロロメタンで抽出し、有機層を塩水で洗浄した後、無水硫酸マグネシウム上で脱水して溶媒を減圧除去した。
【００６５】
シリルエノールエーテルを用いた系では、ジクロロメタン（3.0mL）および0.2N HClのジクロロメタン溶液（1.0 mL）を残渣に加え、反応液を室温で１０分間攪拌した後、溶媒を除去して乾燥させた。
【００６６】
混合物を室温で１時間攪拌し、水（5mL）およびAcOEt（5ml）で反応を停止した。混合液をAcOEtで抽出した後、有機層を塩水で洗浄し、無水硫酸マグネシウム上で脱水した。
【００６７】
アルキルビニルエーテルを使用した系では、ジクロロメタン（3.0mL）および0.2N HClのジクロロメタン溶液（1.0 mL）を残渣に加える代わりに、THF（5.0 ml）および1N HCl水溶液（0.25 mL）を残渣に加え、反応液を室温で１０分間攪拌した後、溶媒を除去して乾燥させ、生成物を得た。
【００６８】
溶媒を除去した後、粗生成物をシリカゲルクロマトグラフィーにより精製し、化合物5a〜5cを得た。
【００６９】
5a〜5cの反応条件、収率、および光学純度を表１に示した。
【００７０】
【表１】
0003738225.tif 000016
【００７１】
また、5a〜5cの同定結果を表２〜４に示した。
【００７２】
【表２】
0003738225.tif 000017
【００７３】
【表３】
0003738225.tif 000018
【００７４】
【表４】
0003738225.tif 000019
【００７５】
表２より、この出願の発明の新規キラル銅触媒を用いることにより、末端に芳香族置換基を有するＮ−アシル化イミノエステルを出発物質とした場合にも、高いエナンチオ選択性と収率でＮ−アシル化アミノ酸誘導体が得られることが示された。
【００７６】
【発明の効果】
以上詳しく説明したとおり、この出願の発明により、新規なキラル銅触媒と、それを用いたＮ−アシル化アミノ酸誘導体の製造方法が提供される。この発明の方法は、少ない工程でＮ−アシル化アミノ酸誘導体を高収率およびエナンチオ選択的に製造することを可能とするものであり、各種の天然物質や生理活性物質、あるいはその中間体の合成において有用性が高い。